(57)【要約】【課題】検査対象のワイヤハーネスを異なる仕様のワイヤハーネスに切り替える作業を容易にすることができるとともに、外観検査を容易にすることができるワイヤハーネス外観検査台を提供すること。【解決手段】検査見本となるワイヤハーネスＷｓを固定するための傾斜した面である見本品固定面１０と、前記検査見本となるワイヤハーネスＷｓに重ね合わせるように検査対象のワイヤハーネスＷｔを該検査対象のワイヤハーネスＷｔの自重を利用して引っ掛けて保持するように前記見本品固定面１０に突設した検査品保持部２０と、を有する。【選択図】図５
2016081789.tif 000002
【特許請求の範囲】
【請求項１】
検査見本となるワイヤハーネスを固定するための傾斜した面である見本品固定面と、
前記検査見本となるワイヤハーネスに重ね合わせるように検査対象のワイヤハーネスを該検査対象のワイヤハーネスの自重を利用して引っ掛けて保持するように前記見本品固定面に突設した検査品保持部と、
を有することを特徴とするワイヤハーネス外観検査台。
【請求項２】
前記検査品保持部は、
前記見本品固定面に対して垂直に突設した棒状部材であることを特徴とする請求項１に記載のワイヤハーネス外観検査台。
【請求項３】
当該ワイヤハーネス外観検査台は、
複数の前記見本品固定面を環状に並べて配置する保持面環状配置部と、
前記保持面環状配置部を回転可能に支持する回転支持部と、
を有し、
前記保持面環状配置部を回転することによって、前記複数の見本品固定面のうちの所望の見本品固定面を検査位置に配置する
ことを特徴とする請求項１または２に記載のワイヤハーネス外観検査台。
【請求項４】
前記複数の見本品固定面のうちの少なくとも一つの見本品固定面は、
所定の前記検査見本となるワイヤハーネスを専用で固定する面とする
ことを特徴とする請求項３に記載のワイヤハーネス外観検査台。
【発明の詳細な説明】
【技術分野】
【０００１】
本発明は、ワイヤハーネスの外観検査に用いるワイヤハーネス外観検査台に関する。
【背景技術】
【０００２】
従来、自動車等の電気配線に用いるワイヤハーネスは、複数本の電線を束ねてなる集束電線に、コルゲートチューブ、コネクタ、グロメット等の各種の取付部材を取り付けているので、これら複数の取付部材が正しく取り付けられているか否かを外観検査によって確認するようにしている（例えば、特許文献１参照）。
【０００３】
ところで、画像解析を用いた外観検査装置によって自動でワイヤハーネスの外観検査を行う場合、外観検査対象部位の色によっては画像解析処理の調整が難しく、装置の設定に時間を有することがある。
このため、少量生産品のワイヤハーネスの場合、外観検査装置による外観検査に代わって、目視による外観検査を行う。
【０００４】
目視による外観検査は、例えば、ワイヤハーネスの縮尺に対応した図面を検査台に貼り付け、その図面に描かれたワイヤハーネスに合わせて検査対象のワイヤハーネスを図面上に配置した状態で、作業者が図面と検査対象のワイヤハーネスとを比較しながら行う（例えば、特許文献２参照）。
【先行技術文献】
【特許文献】
【０００５】
【特許文献１】特開２０１０−２４９７４４号公報
【特許文献２】特開２０００−１１３７５０号公報
【発明の概要】
【発明が解決しようとする課題】
【０００６】
しかしながら、図面を用いた外観検査では、見本となるワイヤハーネスを実寸法で外観検査し易くレイアウトした図面を作図しなければならず、少量生産品に対しては、検査対象のワイヤハーネスを異なる仕様のワイヤハーネスに切り替える作業が煩雑になってしまう問題、および、図面上に検査対象のワイヤハーネスを配置するため、図面が検査対象のワイヤハーネスに邪魔され、図面と検査対象のワイヤハーネスとの比較観察がし難いという問題があった。
【０００７】
本発明は、上記に鑑みてなされたものであって、検査対象のワイヤハーネスを異なる仕様のワイヤハーネスに切り替える作業を容易にすることができるとともに、外観検査を容易にすることができるワイヤハーネス外観検査台を提供することを目的とする。
【課題を解決するための手段】
【０００８】
上述した課題を解決し、目的を達成するために、本発明の請求項１に係るワイヤハーネス外観検査台は、検査見本となるワイヤハーネスを固定するための傾斜した面である見本品固定面と、前記検査見本となるワイヤハーネスに重ね合わせるように検査対象のワイヤハーネスを該検査対象のワイヤハーネスの自重を利用して引っ掛けて保持するように前記見本品固定面に突設した検査品保持部と、を有することを特徴とする。
【０００９】
また、本発明の請求項２に係るワイヤハーネス外観検査台は、上記の発明において、前記検査品保持部は、前記検査品保持部は、前記見本品固定面に対して垂直に突設した棒状部材であることを特徴とする。
【００１０】
また、本発明の請求項３に係るワイヤハーネス外観検査台は、上記の発明において、当該ワイヤハーネス外観検査台は、複数の前記見本品固定面を環状に並べて配置する保持面環状配置部と、前記保持面環状配置部を回転可能に支持する回転支持部と、を有し、前記保持面環状配置部を回転することによって、前記複数の見本品固定面のうちの所望の見本品固定面を検査位置に配置することを特徴とする。
【００１１】
また、本発明の請求項４に係るワイヤハーネス外観検査台は、上記の発明において、前記複数の見本品固定面のうちの少なくとも一つの見本品固定面は、所定の前記見本となるワイヤハーネスを専用で固定する面とすることを特徴とする。
【発明の効果】
【００１２】
本発明の請求項１に係るワイヤハーネス外観検査台は、前記検査対象のワイヤハーネスの外観検査を実施する場合、前記検査品保持部に前記検査対象のワイヤハーネスを自重を利用して引っ掛けることによって、前記見本品固定面に固定した前記検査見本となるワイヤハーネスに重ね合わせるように前記検査対象のワイヤハーネスを保持した状態で前記検査対象のワイヤハーネスの外観検査を行うことができるので、前記検査対象のワイヤハーネスを異なる仕様のワイヤハーネスに切り替える場合、前記見本品固定面に仕様に対応した別の前記検査見本となるワイヤハーネスを固定するだけでよく、しかも、前記検査見本となるワイヤハーネスのレイアウトを前記見本品固定面上で容易に調整することができ、さらには、前記検査見本となるワイヤハーネスは図面とは異なり平面でないため、前記検査見本となるワイヤハーネスと、前記検査対象のワイヤハーネスとの重ね合わせ方向に対して角度をつけた方向から比較観察し易いので、結果的に、検査対象のワイヤハーネスを異なる仕様のワイヤハーネスに切り替える作業を容易にするとともに、外観検査を容易にすることができる。
【００１３】
本発明の請求項２に係るワイヤハーネス外観検査台は、前記検査対象のワイヤハーネスの自重が、前記検査品保持部に引っ掛かる方向以外にも、前記検査品保持部の基端方向に向けて作用するので、前記検査対象のワイヤハーネスが前記見本となるワイヤハーネスに近づくようにして重ね合わされるため、前記検査品保持部が単純な棒状部材であっても前記検査対象のワイヤハーネスの前記検査品保持部に引っ掛けた部分を前記検査品保持部から外れ難くすることができるとともに、前記見本となるワイヤハーネスと前記検査対象のワイヤハーネスとを位置を合わせて重ね合わせ易くすることができる。
【００１４】
本発明の請求項３に係るワイヤハーネス外観検査台は、前記保持面環状配置部を回転することによって、検査位置で複数の前記見本品固定面を切り替えて外観検査を実施できるので、予め前記複数の見本品固定面に異なる仕様の前記検査見本となるワイヤハーネスをセットすることによって、検査対象のワイヤハーネスを異なる仕様のワイヤハーネスに切り替える作業をさらに容易にすることができる。
【００１５】
本発明の請求項４に係るワイヤハーネス外観検査台は、前記複数の見本品固定面のうちの少なくとも一つの見本品固定面を所定の前記見本となるワイヤハーネスを専用で固定する面として用いることができるため、継続的に製造の依頼がある仕様のワイヤハーネスの前記見本となるワイヤハーネスを、作業完了後も固定したままにしておくことによって、次の製造依頼があった場合、単に、所望の前記見本となるワイヤハーネスを固定した前記見本品固定面を検査位置に配置するだけで、前記見本となるワイヤハーネスを前記見本品固定面に固定する作業を省略することができ、結果的に、検査対象のワイヤハーネスを異なる仕様のワイヤハーネスに切り替える作業をさらに容易にすることができる。
【図面の簡単な説明】
【００１６】
【図１】図１は、本発明の実施例に係るワイヤハーネス外観検査台の斜視図である。
【図２】図２は、図１に示したワイヤハーネス外観検査台を検査位置に配置した一つの見本品固定面側から視た斜視図である。
【図３】図３は、見本品固定面上の見本ワイヤハーネスをセットした状態を示した図である。
【図４】図４は、検査ワイヤハーネスの自重が作用する方向を説明するための図である。
【図５】図５は、（ａ）が作業者が見本ワイヤハーネスを見本品固定面に近づける様子を示した図であり、（ｂ）が作業者が見本ワイヤハーネスの各部を固定部材によって見本品固定面に固定する様子を示した図である。
【図６】図６は、作業者が保持面環状配置部を回転して所望の見本品固定面を検査位置に配置する様子を示した図である。
【図７】図７は、（ａ）が作業者が見本ワイヤハーネスに検査ワイヤハーネスを重ね合わせる様子を示した図であり、（ｂ）が作業者が見本ワイヤハーネスに重ね合わせた検査ワイヤハーネスを見本ワイヤハーネスと比較して外観検査する様子を示した図である。
【図８】図８は、作業者が見本ワイヤハーネスと、検査ワイヤハーネスとを重ね合わせ方向Ｄに対して角度をつけた方向から比較観察し易いことを説明するための図である。
【図９】図９は、二つの見本品固定面を用いて外観検査を実施する様子を示した図である。
【図１０】図１０は、変形例のワイヤハーネス外観検査台の斜視図である。
【発明を実施するための形態】
【００１７】
以下、図面を参照して、本発明に係るワイヤハーネス外観検査台の好適な実施例を詳細に説明する。
【実施例】
【００１８】
図１は、本発明の実施例に係るワイヤハーネス外観検査台１の斜視図である。図２は、図１に示したワイヤハーネス外観検査台１を検査位置に配置した一つの見本品固定面１０側から視た斜視図である。図３は、見本品固定面１０上の見本ワイヤハーネスＷｓをセットした状態を示した図である。図４は、検査ワイヤハーネスＷｔの自重が作用する方向を説明するための図である。
本発明の実施例に係るワイヤハーネス外観検査台１は、例えば、自動車の電気配線に用いるワイヤハーネスＷの外観検査装置である。
【００１９】
ワイヤハーネスＷは、複数本の電線を束ねてなる集束電線に、コルゲートチューブ、コネクタ、グロメット等の各種の取付部材を取り付けている。
【００２０】
ワイヤハーネス外観検査台１は、検査見本となるワイヤハーネスＷｓ（以下、見本ワイヤハーネスという。）を固定するための傾斜した面である見本品固定面１０と、見本ワイヤハーネスＷｓに重ね合わせるように検査対象のワイヤハーネスＷｔ（以下、検査ワイヤハーネスという。）を検査ワイヤハーネスＷｔの自重を利用して引っ掛けて保持するように見本品固定面１０に突設した検査品保持部２０と、を有する。
【００２１】
また、ワイヤハーネス外観検査台１は、５つの見本品固定面１０を環状に並べて配置する保持面環状配置部３０と、保持面環状配置部３０を回転可能に支持する回転支持部４０と、を有し、保持面環状配置部３０を回転することによって、５つの見本品固定面１０のうちの所望の見本品固定面１０を作業者が外観検査を実施する検査位置に配置する。
【００２２】
各見本品固定面１０は、板状部材１１の表面に形成し、保持面環状配置部３０が５つの板状部材１１を一端面側から見て５角形状に並べて保持することによって、５つの見本品固定面１０が環状に並んで保持されるようになっている。
このため、ワイヤハーネス外観検査台１は、保持面環状配置部３０を回転支持部４０の回転軸４１を中心にして回転することによって、５つの見本品固定面１０のうち、外観検査に用いる一つの見本品固定面１０を作業者側に傾斜した状態で向けることができるようになっている。
なお、保持面環状配置部３０および回転支持部４０は、回転支持部４０に対して保持面環状配置部３０を所望の回転位置で保持する不図示の保持機構を有する。この実施例では、保持機構が５つの見本品固定面１０のそれぞれを作業者側に向けた場合に、各見本品固定面１０が作業者に対して所定の向きで保持されるように機能する。
【００２３】
見本ワイヤハーネスＷｓは、帯状バンド、ビス等の固定部材１２を用いて各部を見本品固定面１０に固定する。このとき見本ワイヤハーネスＷｓは、外観検査し易いように固定する。
なお、固定部材１２は、見本ワイヤハーネスＷｓを見本品固定面１０に固定した後であっても見本ワイヤハーネスＷｓの各部の固定位置を調整し易いように、容易に脱着できるものを用いるとよい。
【００２４】
検査品保持部２０は、見本品固定面１０上の複数個所に検査ワイヤハーネスＷｔを検査ワイヤハーネスＷｔの自重を利用して引っ掛けることができるように突設してなる。
より具体的には、検査品保持部２０は、見本品固定面１０に対して垂直に突設した棒状部材である。また、検査品保持部２０は、外観検査に用いる一つの見本品固定面１０を傾斜するように配置した状態で、下方から見本ワイヤハーネスＷｓに接するように突設している。
このため、見本ワイヤハーネスＷｓの検査品保持部２０に接する部分に対応した検査ワイヤハーネスＷｔの部分を検査品保持部２０に引っ掛けることができる。
このとき、検査ワイヤハーネスＷｔの検査品保持部２０に引っ掛けた部分は、自重によって検査品保持部２０に荷重を負荷した状態になっているので、検査品保持部２０によって安定的に保持される。
しかも、図４に示すように、検査ワイヤハーネスＷｔの自重が、検査品保持部２０に引っ掛かる方向以外にも、検査品保持部２０の基端方向に向けて作用するので、検査ワイヤハーネスＷｔが見本ワイヤハーネスＷｓに近づくようにして重ね合わされる。
このため、検査ワイヤハーネスＷｔの検査品保持部２０に引っ掛けた部分は、検査品保持部２０が単純な棒状部材であっても検査品保持部２０から外れ難くなっている。また、見本ワイヤハーネスＷｓと検査ワイヤハーネスＷｔとを位置を合わせて重ね合わせ易くなっている。
【００２５】
なお、見本品固定面１０の傾斜角度Ａ（図４参照）は、保持面環状配置部３０を回転することによって、検査ワイヤハーネスＷｔをセットする時と、外観検査の時とで変更することによって、それぞれの作業における最適な角度に調整するようにしてもよいし、検査ワイヤハーネスＷｔのセット時と、外観検査の時とで同一角度のままであってもよい。
【００２６】
また、検査品保持部２０の長さは、見本ワイヤハーネスＷｓに重ねた状態の検査ワイヤハーネスＷｔを引っ掛けることができるように調整する。より具体的には、検査品保持部２０の見本品固定面１０から先端までの長さを、その検査品保持部２０を設けた位置での見本ワイヤハーネスＷｓの厚みと、重ね合わせる検査ワイヤハーネスＷｔの厚みとを合わせた大きさよりも大きくなるように調整する。
【００２７】
また、検査品保持部２０は、見本ワイヤハーネスＷｓを下方から支えるように突設する下方の検査品保持部２０と見本ワイヤハーネスＷｓを上方から挟み込むように突設した上方の検査品保持部２０と、で対になるように設けてもよい。
【００２８】
また、見本品固定面１０には、検査ワイヤハーネスＷｔの外観検査事項を示した検査事項表示札５０を貼り付けている。
検査事項表示札５０は、例えば、コルゲートチューブＴ、コネクタＣ、グロメットＧ等の各種取付部材の固定位置周辺に、各種取付部材の取付状態の確認を促す旨を表示し、あるいは、分岐線の長さの確認を促す旨を表示するものでる。
このような、検査事項表示札５０は、見本ワイヤハーネスＷｓの一部の仕様に変更がある場合、例えば、コネクタＣの色が黒色から白色に変更する場合、コネクタＣの色を白色に変更した旨を表示することもできる。これにより、見本ワイヤハーネスＷｓを変更しなくても、作業者は、コネクタＣの色が見本ワイヤハーネスＷｓとは異なることを確認することができ、検査ワイヤハーネスＷｔを異なる仕様のワイヤハーネスに切り替える作業を容易にすることができる
【００２９】
このようなワイヤハーネス外観検査台１は、５つの見本品固定面１０のそれぞれに異なる仕様の見本ワイヤハーネスＷｓを固定する。
例えば、５つの見本任固定面１０を、継続的に製造の依頼がある仕様の見本ワイヤハーネスＷｓを固定する面と、今回限りの製造となる見本品ワイヤハーネスＷｓを固定する面とで使い分ける。
すなわち、５つの見本任固定面１０のうちの少なくとも一つの見本任固定面１０は、所定の見本ワイヤハーネスＷｓを専用で固定する面とする。具体的には、継続的に製造の依頼がある仕様のワイヤハーネスの見本ワイヤハーネスＷｓを、作業完了後も固定したままにしておく。
これにより、継続的に製造の依頼がある仕様のワイヤハーネスの次の製造依頼があった場合、作業者は、単に、所望の見本ワイヤハーネスＷｓを固定した見本品固定面１０を検査位置に配置するだけでよく、見本ワイヤハーネスＷｓを見本品固定面１０に固定する作業を省略することができる。
【００３０】
次に、図５−図８を用いて検査ワイヤハーネスＷｔを異なる仕様のワイヤハーネスに切り替える作業および外観検査方法について説明する。
図５は、（ａ）が作業者が見本ワイヤハーネスＷｓを見本品固定面１０に近づける様子を示した図であり、（ｂ）が作業者が見本ワイヤハーネスＷｓの各部を固定部材１２によって見本品固定面１０に固定する様子を示した図である。図６は、作業者が保持面環状配置部３０を回転して所望の見本品固定面１０を検査位置に配置する様子を示した図である。図７は、（ａ）が作業者が見本ワイヤハーネスＷｓに検査ワイヤハーネスＷｔを重ね合わせる様子を示した図であり、（ｂ）が作業者が見本ワイヤハーネスＷｓに重ね合わせた検査ワイヤハーネスＷｔを見本ワイヤハーネスＷｓと比較して外観検査する様子を示した図である。図８は、作業者が見本ワイヤハーネスＷｓと、検査ワイヤハーネスＷｔとを重ね合わせ方向Ｄに対して角度をつけた方向から比較観察し易いことを説明するための図である。
【００３１】
まず、作業者は、見本品固定面１０に検査対象の仕様に応じた見本ワイヤハーネスＷｓを固定する（図５参照）。この作業では、見本ワイヤハーネスＷｓの各部を固定部材１２によって見本品固定面１０上に固定するとともに、検査品保持部２０を見本品固定面１０上の各所に取り付ける。
ここで、固定部材１２によって見本ワイヤハーネスＷｓの各部を固定部材１２に固定する場合、図５（ｂ）に示すように、検査ワイヤハーネスＷｔを重ね合わせやすいように、かつ、外観検査をし易いように、見本ワイヤハーネスＷｓの各部の固定位置を調整する。  例えば、見本ワイヤハーネスＷｓの分岐部分が互いに近くなり過ぎないように見本品固定面１０を無駄なく使用して固定位置を調整する。
なお、検査ワイヤハーネスＷｔの外観検査の途中であっても、検査ワイヤハーネスＷｔを部分的に固定位置の調整をしたい場合、その部分の固定部材１２を外し、位置を調整した後、再び固定部材１２によって固定する。
また、少なくとも一つの見本品固定面１０を所定の見本ワイヤハーネスＷｓを専用で固定する面とし、その所定の見本ワイヤハーネスＷｓを用いた外観検査を実施する場合、この見本ワイヤハーネスＷｓを見本品固定面１０に固定する作業は省略することができる。
【００３２】
その後、作業者は、検査対象の仕様の見本ワイヤハーネスＷｓを固定した見本品固定面１０を検査位置に配置する（図６参照）。この作業では、作業者は、保持面環状配置部３０を回転することによって、所望の見本品固定面１０を作業者側に向ける。
【００３３】
その後、作業者は、検査ワイヤハーネスＷｔを見本ワイヤハーネスＷｓに重ね合わせるように配置する（図７（ａ）参照）。
この作業では、作業者は、検査ワイヤハーネスＷｔを見本ワイヤハーネスＷｓに重ね合わせつつ、検査品保持部２０に各部を引っ掛かるようにして見本品固定面１０上に保持する。このとき、検査ワイヤハーネスＷｔの検査品保持部２０に引っ掛けた部分は、自重によって検査品保持部２０に荷重を負荷するとともに、見本ワイヤハーネスＷｓに近づくように移動する。
【００３４】
その後、作業者は、検査ワイヤハーネスＷｔの外観検査を実施する（図７（ｂ）参照）。ここで、作業者は、見本ワイヤハーネスＷｓと、見本ワイヤハーネスＷｓに重ね合わせた検査ワイヤハーネスＷｔとを目視によって比較しながら外観検査を実施する。
このとき、見本ワイヤハーネスＷｓが図面とは異なり平面でないため、図８に示すように、見本ワイヤハーネスＷｓと、検査ワイヤハーネスＷｔとを重ね合わせ方向Ｄに対して角度をつけた方向から比較観察し易い。すなわち、検査ワイヤハーネスＷｔが見本ワイヤハーネスＷｓの邪魔にならない位置から見本ワイヤハーネスＷｓと、検査ワイヤハーネスＷｔとを比較観察することができる。
なお、見本品固定面１０上に検査事項表示札５０が貼り付けてある場合、表示された外観検査事項を確認し、その内容に従って外観検査を実施する。
【００３５】
本発明の実施例に係るワイヤハーネス外観検査台１は、検査ワイヤハーネスＷｔの外観検査を実施する場合、検査品保持部２０に検査ワイヤハーネスＷｔを自重を利用して引っ掛けることによって、見本品固定面１０に固定した見本ワイヤハーネスＷｓに重ね合わせるように検査ワイヤハーネスＷｔを保持した状態で検査ワイヤハーネスＷｓの外観検査を行うことができるので、検査ワイヤハーネスＷｔを異なる仕様のワイヤハーネスに切り替える場合、見本品固定面１０に仕様に対応した別の見本ワイヤハーネスＷｓを固定するだけでよく、しかも、見本ワイヤハーネスＷｓのレイアウトを見本品固定面１０上で容易に調整することができるので、検査ワイヤハーネスＷｓを異なる仕様のワイヤハーネスに切り替える作業を容易にすることができ、さらには、見本ワイヤハーネスＷｓは図面とは異なり平面でないため、見本ワイヤハーネスＷｓと、検査ワイヤハーネスＷｔとの重ね合わせ方向に対して角度をつけた方向から比較観察し易いので、結果的に、検査対象のワイヤハーネスを異なる仕様のワイヤハーネスに切り替える作業を容易にするとともに、外観検査を容易にすることができる。
【００３６】
また、本発明の実施例に係るワイヤハーネス外観検査台１は、検査ワイヤハーネスＷｔの自重が、検査品保持部１０に引っ掛かる方向以外にも、検査品保持部１０の基端方向に向けて作用するので、検査ワイヤハーネスＷｔが見本ワイヤハーネスＷｓに近づくようにして重ね合わされるため、検査品保持部１０が単純な棒状部材であっても検査ワイヤハーネスＷｔの検査品保持部１０に引っ掛けた部分を検査品保持部１０から外れ難くすることができるとともに、見本ワイヤハーネスＷｓと検査ワイヤハーネスＷｔとを位置を合わせて重ね合わせ易くすることができる。
【００３７】
また、本発明の実施例に係るワイヤハーネス外観検査台１は、保持面環状配置部３０を回転することによって、検査位置で複数の見本品固定面１０を切り替えて外観検査を実施できるので、予め複数の見本品固定面１０に異なる仕様の検査ワイヤハーネスＷｓをセットすることによって、検査対象のワイヤハーネスを異なる仕様のワイヤハーネスに切り替える作業をさらに容易にすることができる。
【００３８】
また、本発明の実施例に係るワイヤハーネス外観検査台１は、５つの見本品固定面のうちの少なくとも一つの見本品固定面１０を所定の見本ワイヤハーネスＷｓを専用で固定する面として用いることができるため、継続的に製造の依頼がある仕様のワイヤハーネスの見本ワイヤハーネスＷｓを、作業完了後も固定したままにしておくことによって、次の製造依頼があった場合、単に、所望の見本ワイヤハーネスＷｓを固定した見本品固定面１０を検査位置に配置するだけで、見本ワイヤハーネスＷｓを見本品固定面１０に固定する作業を省略することができ、結果的に、検査対象のワイヤハーネスを異なる仕様のワイヤハーネスに切り替える作業をさらに容易にすることができる。
【００３９】
なお、本発明の実施例では、５つの見本品固定面１０のうち一つの見本品固定面１０のみ用いて外観検査を行うものを例示したが、これに限らず、図９に示すように、２つの見本品固定面１０を用いて外観検査を実施しても構わない。この場合、同時に二つの検査ワイヤハーネスＷｔの外観検査を実施することができる。
（変形例）
【００４０】
次に、図１０を用いて本発明の実施例に係るワイヤハーネス外観検査台１の変形例について説明する。
図１０は、変形例のワイヤハーネス外観検査台２の斜視図である。
本発明の変形例に係るワイヤハーネス外観検査台２は、見本品固定面１０を一面のみ有する点で、実施例のワイヤハーネス外観検査台１と異なる。
なお、その他の構成は実施例と同様であり、実施例と同一構成部分には同一符号を付している。
【００４１】
ワイヤハーネス外観検査台２は、見本ワイヤハーネスＷｓを固定する面である見本品固定面１０と、見本品固定面１０上に見本ワイヤハーネスに重ね合わせるように検査ワイヤハーネスを保持する検査品保持部２０と、を有する
【００４２】
この変形例のワイヤハーネス外観検査台２は、検査ワイヤハーネスＷｔの外観検査を実施する場合、検査品保持部２０に検査ワイヤハーネスＷｔを自重を利用して引っ掛けることによって、見本品固定面１０に固定した見本ワイヤハーネスＷｓに重ね合わせるように検査ワイヤハーネスＷｔを保持した状態で検査ワイヤハーネスＷｓの外観検査を行うことができるので、検査ワイヤハーネスＷｔを異なる仕様のワイヤハーネスに切り替える場合、見本品固定面１０に仕様に対応した別の見本ワイヤハーネスＷｓを固定するだけでよく、しかも、見本ワイヤハーネスＷｓのレイアウトを見本品固定面１０上で容易に調整することができ、さらには、見本ワイヤハーネスＷｓは図面とは異なり平面でないため、見本ワイヤハーネスＷｓと、検査ワイヤハーネスＷｔとの重ね合わせ方向に対して角度をつけた方向から比較観察し易いので、実施例のワイヤハーネス外観検査台１と同様に、検査対象のワイヤハーネスを異なる仕様のワイヤハーネスに切り替える作業を容易にするとともに、外観検査を容易にすることができる。
【００４３】
なお、本発明の実施例および変形例に係るワイヤハーネス外観検査台１、２は、検査品保持部２０が棒状部材であるものを例示したが、これに限らず、検査ワイヤハーネスＷｓに重ね合わせるように検査ワイヤハーネスＷｔを保持することができれば、その他のものであっても構わない。検査品保持部２０は、例えば、Ｌ字状の部材であっても構わない。
【００４４】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４５】
１、２  ワイヤハーネス外観検査台
１０    見本品固定面
１１    板状部材
１２    固定部材
２０    検査品保持部
３０    保持面環状配置部
４０    回転支持部
４１    回転軸
５０    検査事項表示札
Ｗ      ワイヤハーネス
Ｗｓ    見本ワイヤハーネス
Ｗｔ    検査ワイヤハーネス
【図１】
2016081789.tif 000003
【図２】
2016081789.tif 000004
【図３】
2016081789.tif 000005
【図４】
2016081789.tif 000006
【図５】
2016081789.tif 000007
【図６】
2016081789.tif 000008
【図７】
2016081789.tif 000009
【図８】
2016081789.tif 000010
【図９】
2016081789.tif 000011
【図１０】
2016081789.tif 000012